(57)【特許請求の範囲】
【請求項１】
建造物に設置される支持構造体と、
前記支持構造体内を循環移動する、無端状に連結された複数の踏板と、
前記踏板の移動方向に沿って立設された欄干と、
前記欄干の周縁に沿って移動する移動手摺と、
前記欄干の上部に設けられ、中空で、且つ、下部が開口している枠部と、
下方に向かって突出し、前記開口を塞ぐ照明カバーと、
長手方向に複数の発光素子を配置した光源と、
前記枠部の内側に設けられており、弾性を有する複数の爪部によって前記光源を前記枠部の内側で保持するための保持部と、を備え、
前記複数の爪部は、前記光源の幅方向の両側に、前記長手方向上の位置をずらすようにして配置されている
乗客コンベア。
【請求項２】
隣り合う前記発光素子の間には、前記複数の爪部の内の一つの爪部が配置されている
請求項１に記載の乗客コンベア。
【請求項３】
前記複数の爪部の内の隣り合う爪部間の距離は、前記発光素子の長手方向の長さよりも長く設定されている
請求項１に記載の乗客コンベア。
【請求項４】
前記保持部は、各々一対の前記爪部を備えた保持具を前記長手方向に複数配置することによって構成されている
請求項１から３の何れかに記載の乗客コンベア。
【発明の詳細な説明】
【技術分野】
【０００１】
本発明は、エスカレーターや電動道路を含む乗客コンベアに関し、特に、欄干照明の構成に関するものである。
【背景技術】
【０００２】
乗客コンベアにおける欄干照明としては、円筒状のランプを保持するランプホルダを照明カバー内に配置する構成が一般的に用いられている。（特許文献１を参照。）
【先行技術文献】
【特許文献】
【０００３】
【特許文献１】特開２００３−３３５４９０号公報
【発明の概要】
【発明が解決しようとする課題】
【０００４】
従来の欄干照明では、光源として電球や蛍光管が使用されているが、近年の省エネルギー等に対する要求から、光源としてＬＥＤ（発光ダイオード）のような発光素子を用いたものも採用されてきている。また、発光素子を用いることで、電球や蛍光管に対して長寿命であることから保全回数を低減できる利点がある。
【０００５】
しかし、発光素子を用いた場合、光量を増加させると照明カバーに照度のムラを生じさせるといった問題や、蛍光管と違い３６０度全方向を照らすことができないため照明カバーに不灯部分が発生するといった問題がある。
【０００６】
照明カバーの照度ムラを抑え、不灯部分をなくすためには、照明カバーと光源との間に十分な間隔をあけるように、光源を照明カバー内ではなく奥のほうに配置する方法が考えられる。しかし、そうした場合、光源の保全作業や交換作業を行うために照明カバーを取り外しても、光源が欄干内の奥のほうに位置しているため、作業性が悪くなってしまう。
【０００７】
本発明は、上述の点に鑑み、欄干照明の光源として発光素子を用いた乗客コンベアであって、照明カバーの照度ムラを抑え、照明カバーに不灯部分をなくすために、光源を照明カバーよりも奥のほうに配置した場合でも、容易に光源の保全作業や交換作業を行える乗客コンベアを提供することにある。
【課題を解決するための手段】
【０００８】
上記課題を解決し、本発明の目的を達成するため、本発明に係る乗客コンベアは、建造物に設置される支持構造体と、前記支持構造体内を循環移動する、無端状に連結された複数の踏板と、前記踏板の移動方向に沿って立設された欄干と、前記欄干の周縁に沿って移動する移動手摺と、前記欄干の上部に設けられ、中空で、且つ、下部が開口している枠部と、下方に向かって突出し、前記開口を塞ぐ照明カバーと、長手方向に複数の発光素子を配置した光源と、前記枠部の内側に設けられており、弾性を有する複数の爪部によって前記光源を前記枠部の内側で保持するための保持部と、を備え、前記複数の爪部は、前記光源の幅方向の両側に、前記長手方向上の位置をずらすようにして配置されている。
【発明の効果】
【０００９】
上記構成の乗客コンベアによれば、照明カバーの照度ムラを抑え、照明カバーに不灯部分をなくすために、発光素子を用いた光源が照明カバーよりも奥のほうに配置されており、それに伴い欄干内の奥に保持部を設けた場合でも、弾性を有する爪部に対して光源をひねることにより、容易に光源を保持部から脱着して保守点検作業や交換作業を行うことができる。
【図面の簡単な説明】
【００１０】
【図１】本発明の実施の形態に係る乗客コンベアの全体構成を示す側面図である。
【図２】本発明の実施の形態に係る欄干及び欄干照明の構成を示す断面図である。
【図３】本発明の実施の形態に係る光源及び保持具の構成を示す断面図及び下面図である。
【図４】本発明の実施の形態に係る保持具の構成を示す斜視図である。
【図５】本発明の実施の形態に係る保持具の配置を示す斜視図である。
【図６】本発明の実施の形態に係る光源の取外し方法を示す断面図及び下面図である。
【発明を実施するための形態】
【００１１】
以下、本発明の実施の形態について図面を参照して説明する。
図１は、本発明の実施の形態に係る乗客コンベアの全体構成を示す。この乗客コンベアは、下記のような各部で構成されている。
・図示しない建造物に設置されるフレーム（乗客コンベア支持構造体）１
・フレーム１内を循環移動する、無端状に連結された複数の踏板２
・踏板２の移動方向に沿って立設された欄干３
・踏板２と同期して、欄干３の周縁に沿って移動する移動手摺４
・移動手摺４の近傍に設置された欄干照明５
・フレーム１内に設置された、欄干照明５のための電源１７
・電源１７からの電力を欄干照明５に供給するための電源コード１８
【００１２】
図２は、図１の欄干３及び欄干照明５の構成を示す断面図である。欄干３は、下記のような各部で構成されている。
・下方をフレーム１に固定されて立設する、ガラスパネル等で構成された欄干パネル６（欄干パネル６は、図１にも示している）
・欄干パネル６の上端部に固定された固定部材７
・固定部材７によって固定された移動手摺用枠体８
・移動手摺用枠体８の上端部に固定されており、移動手摺４を摺動案内する手摺ガイド９
【００１３】
欄干照明５は、下記のような各部で構成されている。
・移動手摺用枠体８に形成した下向きの開口部から下方に向かって突出した、乳白色の半透明の照明カバー１０
・移動手摺用枠体８の内側で、固定用ビス１６によって固定部材７に固定された保持具１２
・保持具１２に保持されることによって移動手摺用枠体８の内側に配置された光源１１
なお、図１の電源１７からの電源コード１８は、移動手摺用枠体８の内側にまで配線されており、光源１１に電力を供給する。
【００１４】
図３は、図２の光源１１及び保持具１２の構成を示す（図３Ａは図２と同様な断面図であり、図３Ｂは下面図で光源１１及び保持具１２の構成を示している）。また、図４は、保持具１２の構成を示す斜視図である。光源１１は、図３Ｂに示すように、長手方向に一定間隔で複数の発光素子（例えばＬＥＤ）１３を配置し、それらの発光素子１３を、弾性を有する透明なチューブ状の樹脂１４で包むことによって構成した細長い棒状のものであり、容易に折り曲げ可能となっている。
【００１５】
光源１１の寸法は、一例として、長さ１〜２ｍ，幅１５ｍｍ，厚さ８ｍｍ程度である。また、発光素子１３の寸法，配置間隔は、一例として、それぞれ数ｍｍ，２ｃｍ程度である。ただし、上記の数値とは異なるように寸法や間隔を決定してもよい。
【００１６】
保持具１２は、バネ鋼等の弾性を有する材料で構成されており、図３及び図４に示すように、光源１１を幅方向の両側から把持するための弾性を有する一対の爪部１５a及び１５ｂを備えている。光源１１の長手方向における爪部１５ａ，１５ｂの寸法は、図３Ｂに示すように、それぞれ発光素子１３の配置間隔よりも小さくなっている。そして、爪部１５ａと爪部１５ｂとは、図３Ｂ及び図４に示すように、光源１１の長手方向にずらして配置されており、この長手方向での爪部１５ａと爪部１５ｂとの間隔は、図３Ｂに示すように、発光素子１３の寸法よりも幾分大きくなっている。また、保持具１２は、図４に示すように、図２の固定用ビス１６を通すための保持具取付穴１２ａを備えている。
【００１７】
図５は、光源１１に対する保持具１２の配置を示す斜視図である。移動手摺用枠体８の内側には、１つの光源１１に対して、光源１１の長手方向に沿って複数の保持具１２がそれぞれ固定部材７に固定されて配置されている。そして、それらの複数の保持具１２が、１つの光源１１をその両端の箇所と両端の間の幾つかの箇所とで保持している。
【００１８】
また、光源１１は、移動手摺４の移動方向に沿って所定の複数の位置に配置されるようになっている。光源１１は折り曲げが容易であるため、移動手摺４が直線状に移動する位置でも、移動手摺４が曲がって移動する位置（乗客コンベアの乗降口付近の位置）でも、同じ構成の光源１１を用いることができる。そして、それらの複数の光源１１の各々に対して、上述のようにして複数の保持具１２が配置されている。
【００１９】
このように、弾性を有する各々一対の爪部１５a及び１５ｂを備えた保持具１２を光源１１の長手方向に複数配置することによって、光源１１を保持するための保持部が構成されている。
【００２０】
なお、これらの複数の保持具１２は、各光源１１を移動手摺４の移動方向上の所定の位置に位置合わせして保持した際、図３Ｂに示しているように、爪部１５a及び１５ｂが隣り合う発光素子１３の中間に位置するようにして配置されている。
【００２１】
図６は、保持具１２からの光源１１の取外し方法を示しており、図６Ａは断面図、図６は下面図である。照明カバー１０（図２）を取り外した後、１つの光源１１を保持している複数の保持具１２の各々について、爪部１５a及び１５ｂのうちの爪部１５ｂを外側に曲げるような向きに光源１１をひねっていくことにより、容易に光源１１を保持具１２から取り外すことができる。なお、保持具１２への光源１１の取付けも、同様にして容易に行うことができる。このとき、爪部１５ｂに連接する保持具１２部分が弾性を有しているので、光源１１の取り外し又は取付を容易に行うことができる。
【００２２】
本実施の形態に係る乗客コンベアによれば、図２に示したように、発光素子１３を用いた光源１１を、照明カバー１０内ではなくそれよりも奥のほうである移動手摺用枠体８の内側に配置したので、照明カバー１０と光源１１との間に十分な間隔をあけることができる。これにより、照明カバー１０の照度ムラを抑えて照明カバー１０を均一に照らすことができるとともに、照明カバー１０に不灯部分をなくすことができる。
【００２３】
また、光源１１を移動手摺用枠体８の内側に配置したため光源１１の保全作業や交換作業のための空間は限られるが、図６に示したように、光源１１を保持している保持具１２の爪部１５a及び１５ｂに対して光源１１をひねることにより、容易に光源１１を保持具１２から脱着して保全作業や交換作業を行うことができる。
【００２４】
さらに、保持具１２によって光源１１を所定の位置に保持した際、図３Ｂに示したように、保持具１２の爪部１５a及び１５ｂは隣り合う発光素子１３の中間に位置するので、発光素子１３から発せられる光が爪部１５a及び１５ｂによって遮られることがない。したがって、爪部１５a及び１５ｂの存在によって照明カバー１０に照度のムラを生じることもない。
【００２５】
以上に説明したように、本実施の形態に係る乗客コンベアによれば、欄干照明の光源に発光素子を用い、照明カバーの照度ムラを抑え、照明カバーの不灯部分をなくし、且つ、容易に光源の保全作業や交換作業を行うことができる。
【００２６】
〔変形例〕
以上、本発明の実施の形態について説明した。しかし、本発明は、上述の実施の形態に限定されるものではなく、特許請求の範囲に記載した発明の要旨を逸脱しない範囲内で種々の変形実施が可能である。
【００２７】
例えば、上述の実施の形態では、弾性を有するチューブ状の樹脂１４で複数の発光素子１３を包むことによって光源１１を構成している。しかし、樹脂１４に代えて、弾性を有しない部材で複数の発光素子１３を包むことによって光源１１を構成してもよい。
【００２８】
また、上述の実施の形態では、各々一対の爪部１５a及び１５ｂを備えた保持具１２を光源１１の長手方向に複数配置することによって、光源１１を保持するための保持部を構成している。しかし、この保持部を、複数対の爪部１５a及び１５ｂを光源１１の長手方向に配置するようにして備えた単一の部材（またはそうした部材を光源１１の長手方向に複数配置したもの）として構成してもよい。
【００２９】
また、上述の実施の形態では、保持具１２の爪部１５ａと爪部１５ｂとを、光源１１の長手方向でずらして配置している。しかし、爪部１５ａと爪部１５ｂとを、光源１１の長手方向でずらさずに配置してもよい。
【００３０】
また、上述の実施の形態では、欄干３内の移動手摺用枠体８の内側に保持具１２を設けている。しかし、照明カバー１０よりも奥のほうの欄干３内の場所の名称や形状が移動手摺用枠体８とは異なっている乗客コンベアにおいて、照明カバー１０と光源１１との間に十分な間隔をあけるように、照明カバー１０よりも奥のほうの欄干３内の場所に保持具１２を設けてもよい。
【符号の説明】
【００３１】
３…欄干、  ４…移動手摺、  ５…欄干照明、  ６…欄干パネル、  ７…固定部材、  ８…移動手摺用枠体、  １０…照明カバー、  １１…光源、  １２…保持具、  １３…発光素子、  １４…樹脂、  １５a，１５ｂ…爪部
【図１】
0005707620.tif 000002
【図２】
0005707620.tif 000003
【図３】
0005707620.tif 000004
【図４】
0005707620.tif 000005
【図５】
0005707620.tif 000006
【図６】
0005707620.tif 000007